(57)【要約】      （修正有）【課題】ペットがランニングボール内に入り込んで走り回りを行うペット用玩具を提供する。【解決手段】ペット用玩具４は、支持スタンド１と、リング枠２と、ランニングボール３とを備える構成とし、ランニングボール３の中心軸に位置する上下方に対して、リング枠２の所定の箇所に位置して保持する孔２４１への導入に合わせるように、１節のロッドセグメント１１が個別に凸伸され、ランニングボール３とリング枠２とが枢着状に形成され、及びリング枠２とランニングボール３を導入する方位と交錯する箇所に保持する孔２１１には、支持スタンド１の両脇から内向きに延伸する１節のロッドセグメント３１の導入を許容し、ランニングボール３で結合しているリング枠２を支持スタンド１の間に枢着させ、ペットがランニングボール３内に入り込んで走り回りを行う。【選択図】図１
0003223077.tif 000002
【実用新案登録請求の範囲】
【請求項１】
ペットの平時活動用として用いる走り回る空間に対して、より多くの方位を持つ任意変化の方向を使用して走り回る応用において、
ペット用玩具は、支持スタンドと、リング枠と、ランニングボールとを備える構成を採用し、
本案の改良部位は、前述したリング枠の周辺に位置する所定の箇所には、孔で保持された軸受けを置くように、複数本の格納エリアが区切り凹入され、及びリング枠に区切られた所定の箇所ごとに相応する２つの格納エリアに、所定の間隔の相応部位に孔で内向きまたは外向きに貫通しており、前述の支持スタンドの両脇から内向きに延伸する１節のロッドセグメントを、リング枠の外向きに貫通する孔、及び内側の軸受けに相応する孔への導入に合わせてリング枠を支持スタンドの間に枢着させ、
また、前述したランニングボールの中心軸に位置する上下方には、前記リング枠の内向きに貫通する孔、及び内側の軸受けに相応する孔への導入に合わせるように、１節のロッドセグメントが個別に凸伸され、ランニングボールを前記リング枠の間に枢着させ、
組立てて成るペット用玩具を、ペットがランニングボール内に入り込んで走り回りを行うものとしてペットの走行運動に応じて駆使させると共に、前記リング枠に枢着されたランニングボール、及び支持スタンドによって枢着された前記リング枠に伴って任意変化方向での回転走行を行わせることにあることを特徴とする、ペット用玩具。
【請求項２】
ペットの平時活動用として用いる走り回る空間に対して、より多くの方位を持つ任意変化の方向を使用して走り回る応用において、
ペット用玩具は、支持スタンドと、外側リング枠と、内側リング枠と、ランニングボールとを備える構成を採用し、
本案の改良部位は、前述した内、外側リング枠の周辺に位置する所定の箇所には、孔で保持された軸受けを置くように、複数本の格納エリアが区切り凹入され、及び内側リング枠に区切られた所定の箇所ごとに相応する２つの格納エリアには、孔で内向きに貫通しており、及び所定の周辺相応両側から外向きに延伸する１節のロッドセグメントを、外側リング枠の相応部位の孔と内側の軸受けの孔への導入に合わせて内側リング枠と外側リング枠を枢着状に組み合わせ、
また、外側リング枠に区切られた所定の箇所ごとに相応する２つの格納エリアには、所定の間隔の相応部位に孔が内向きまたは外向きに貫通しており、前述の支持スタンドの両脇から内向きに延伸する１節のロッドセグメントを、前述の外側リング枠の外向きに貫通する孔、及び内側の軸受けに相応する孔への導入に合わせて前記外側リング枠が支持スタンドの間に枢着され、
また、前述したランニングボールの中心軸に位置する両端には、前記内側リング枠の内向きに貫通する孔、及び内側の軸受けに相応する孔への導入に合わせるように、１節のロッドセグメントが個別に凸伸され、前記ランニングボールを内側リング枠の間に枢着させ、
組立てて成るペット用玩具を、ペットがランニングボール内に入り込んで走り回りを行うものとすると、内側リング枠に枢着されたランニングボール、及び支持スタンドによって枢着された外側リング枠に伴って任意の方向での回転走行を行わせることにあることを特徴とする、ペット用玩具。
【請求項３】
前記ペット用玩具が備える支持スタンドの間に枢着された外側リング枠に隣接して枢設される内側リング枠の、周辺に位置する所定の箇所には、孔で保持された軸受けを置くように、複数本の相応の格納エリアが区切り凹入されることを許容し、ランニングボールが容易に組付け角度に応じて選択的に中心軸の両端から凸伸されるロッドセグメントを、内側リング枠の所定の範囲に内向きに貫通する孔、及び内側の軸受けに相応する孔へ導入させることで、ランニングボールの中心軸を前記内側リング枠と傾斜状になるように据付け、ランニングボール内に入り込むペットに対して自身の走行運動に沿って任意の方向での回転走行を行うように駆使させることを特徴とする、請求項２に記載のペット用玩具。
【請求項４】
前記ペット用玩具が備えるランニングボールの中心軸に位置する上下方に凸伸するロッドセグメントの所定の箇所には、凸部が形成され、前記凸部を前述のランニングボールの上下方のロッドセグメントとしてリング枠の相応部位の孔、及び内側の前記軸受けの孔へ導入することにより、前記凸部が前記リング枠とランニングボールとの間にほぼ介在することで、前述のランニングボールを前記リング枠の範囲で適切な円滑度に保持して旋回させることを特徴とする、請求項１に記載のペット用玩具。
【請求項５】
前記ペット用玩具が備える内側リング枠の所定の周辺相応両側から外向きに延伸するロッドセグメントの所定の箇所には、凸部が形成され、前記凸部を前述の内側リング枠から延伸するロッドセグメントとして外側リング枠の相応部位の孔と内側の軸受けの孔へ導入することにより、前記凸部が前述の内側リング枠と外側リング枠との間にほぼ介在することで、ランニングボールで結合している前記内側リング枠を外側リング枠の範囲で適切な円滑度に保持して旋回を行わせることを特徴とする、請求項２に記載のペット用玩具。
【請求項６】
前記ペット用玩具が備える支持スタンドの両脇に位置する所定の高さには、軸受けを置くように、格納エリアが凹入され、及びリング枠の相応箇所には、前述の格納エリアの内向きに貫通する孔、及び軸受けの孔へ導入するように、１節のロッドセグメントが延伸し、リング枠を支持スタンドの間に枢着させることを特徴とする、請求項１に記載のペット用玩具。
【考案の詳細な説明】
【技術分野】
【０００１】
本考案は、ペット用玩具に係り、主に、ペット（例えば、ハムスター等）の平時活動用として用いる走り回る空間に対して、より多くの方位を持つ任意変化の方向を使用して走り回る応用において、ペットに、平時の活動にてより多くの面白い変化をもたせる。
【背景技術】
【０００２】
従来、一般的にペットが平時に遊んだり、隠れることのできる配置空間としては、通常、飼育されるペットの活動習性に基づいて適宜に設置され、このことは、市販のペット活動グッズ（例えば、ハムスターの走行運動用のランニングボール等）、または休憩グッズ（例えば、隠された巣）から見出され、動的旋回空間または静的継合式空間はいずれもペットの平時の活動を満足させるために形成されるものであり、これらは、基本的に複数個の単位部材を所定の形態に従って逐一に結合する必要があり、あるいは、後日に再び取り外して別種の異なる組立体形態になるように継ぎ合わせ直してもよい。
【考案の概要】
【考案が解決しようとする課題】
【０００３】
本考案は、つまりペットの平時活動用として用いる周知のランニングホイールに基づいてより多くの方位を持つ任意変化の方向を使用して走り回る応用において、ペット用玩具は、支持スタンドと、リング枠と、ランニングボールとを備える構成を採用し、その内、前記ランニングボールは、周知の手段に属するものであるため、本開示の主張に含まれておらず、ここでの訴求は、前述したランニングボールの中心軸に位置する上下方に対して、前述のリング枠の所定の箇所に位置して保持する孔への導入に合わせるように、１節のロッドセグメントが個別に凸伸され、ランニングボールとリング枠とが枢着状に形成され、及び前記リング枠と前述のランニングボールを導入する方位と交錯する箇所に保持する孔には、前述の支持スタンドの両脇から内向きに延伸する１節のロッドセグメントの導入を許容し、ランニングボールで結合しているリング枠を支持スタンドの間に枢着させ、ペットがランニングボール内に入り込んで走り回りを行うものとして、リング枠に枢着されたランニングボール、及び支持スタンドによって枢着されたリング枠に伴って任意の水平方向と上下方向での回転走行を行わせることができる。
【課題を解決するための手段】
【０００４】
本考案の第１の主な目的は、ペットの平時活動用として用いる走り回る空間に対して、より多くの方位を持つ任意変化の方向を使用して走り回る応用において、ペット用玩具は、支持スタンドと、リング枠と、ランニングボールとを備える構成を採用し、その内、前記ランニングボールは、周知の手段に属するものであるため、本開示の主張に含まれておらず、ここでの訴求部位は、前述したリング枠の周辺に位置する所定の箇所に対しては、孔で保持された軸受けを置くように、複数本の格納エリアが区切り凹入され、及びリング枠に区切られた所定の箇所ごとに相応する２つの格納エリアには、所定の間隔の相応部位に孔で内向きまたは外向きに貫通しており、前述の支持スタンドの両脇から内向きに延伸する１節のロッドセグメントを、リング枠の外向きに貫通する孔、及び内側の軸受けに相応する孔への導入に合わせてリング枠を支持スタンドの間に枢着させ、また、前述したランニングボールの中心軸に位置する上下方には、前記リング枠の内向きに貫通する孔、及び内側の軸受けに相応する孔への導入に合わせるように、１節のロッドセグメントが個別に凸伸され、ランニングボールを前記リング枠の間に枢着させ、組立てて成るペット用玩具を、ペットがランニングボール内に入り込んで走り回りを行うものとすると、前記リング枠に枢着されたランニングボール、及び支持スタンドによって枢着された前記リング枠に伴って任意の水平方向と上下方向での回転走行を行わせることである。
【考案の効果】
【０００５】
本考案の第２の主な目的は、ペットの平時活動用として用いる走り回る空間に対して、より多くの方位を持つ任意変化の方向を使用して走り回る応用において、ペット用玩具は、支持スタンドと、外側リング枠と、内側リング枠と、ランニングボールとを備える構成を採用し、その内、前記ランニングボールは、周知の手段に属するものであるため、本開示の主張に含まれておらず、ここでの訴求部位は、前述した内、外側リング枠の周辺に位置する所定の箇所に対しては、孔で保持された軸受けを置くように、複数本の格納エリアが区切り凹入され、及び内側リング枠に区切られた所定の箇所ごとに相応する２つの格納エリアには、孔で内向きに貫通しており、及び所定の周辺相応両側から外向きに延伸する１節のロッドセグメントを、外側リング枠の相応部位の孔と内側の軸受けの孔への導入に合わせて内側リング枠と外側リング枠を枢着状に組み合わせ、また、外側リング枠に区切られた所定の箇所ごとに相応する２つの格納エリアには、所定の間隔の相応部位に孔で内向きまたは外向きに貫通しており、前述の支持スタンドの両脇から内向きに延伸する１節のロッドセグメントを、前述の外側リング枠の外向きに貫通する孔、及び内側の軸受けに相応する孔への導入に合わせて前記外側リング枠が支持スタンドの間に枢着され、また、前述したランニングボールの中心軸に位置する両端には、前記内側リング枠の内向きに貫通する孔、及び内側の軸受けに相応する孔への導入に合わせるように、１節のロッドセグメントが個別に凸伸され、前記ランニングボールを内側リング枠の間に枢着させ、組立てて成るペット用玩具を、ペットがランニングボール内に入り込んで走り回りを行うものとすると、内側リング枠に枢着されたランニングボール、及び支持スタンドによって枢着された外側リング枠に伴って任意の上下方向と水平方向及び非特定方向での回転走行を行わせることである。
【０００６】
本考案の第３の目的は、ペット用玩具が備える支持スタンドの間に枢着された外側リング枠に隣接して枢設される内側リング枠の、周辺に位置する所定の箇所に対しては、孔で保持された軸受けを置くように、複数本の相応の格納エリアが区切り凹入されることを許容し、ランニングボールが容易に組付け角度に応じて選択的に中心軸の両端から凸伸されるロッドセグメントを、内側リング枠の所定の範囲に内向きに貫通する孔、及び内側の軸受けに相応する孔へ導入させることで、ランニングボールの中心軸を前記内側リング枠と傾斜状になるように据付け、ランニングボール内に入り込むペットに対してその駆動の生成に沿って任意の方向での回転走行を行わせることである。
【０００７】
本考案の第４の目的は、ペット用玩具が備えるランニングボールの中心軸に位置する上下方に凸伸するロッドセグメントの所定の箇所に対しては、凸部が形成され、その凸部を前述のランニングボールの上下方のロッドセグメントとしてリング枠の相応部位の孔、及び内側の前記軸受けの孔へ導入することにより、前記凸部が前記リング枠とランニングボールとの間にほぼ介在することで、前述のランニングボールを前記リング枠の範囲に適切な円滑度に保持して旋回させることである。
【０００８】
本考案の第５の目的は、ペット用玩具が備える内側リング枠の所定の周辺相応両側から外向きに延伸するロッドセグメントの所定の箇所に対しては、凸部が形成され、その凸部を前述の内側リング枠から延伸するロッドセグメントとして外側リング枠の相応部位の孔と内側の軸受けの孔へ導入することにより、前記凸部が前述の内側リング枠と外側リング枠との間にほぼ介在することで、ランニングボールで結合している前記内側リング枠を外側リング枠の範囲に適切な円滑度に保持して旋回を行わせることである。
【０００９】
本考案の第６の目的は、ペット用玩具が備える支持スタンドの両脇に位置する所定の高さに対しては、軸受けを置くように、格納エリアが凹入され、及びリング枠の相応箇所には、前述の格納エリアの内向きに貫通する孔、及び軸受けの孔へ導入するように、１節のロッドセグメントが延伸し、リング枠を支持スタンドの間に枢着させることである。
【図面の簡単な説明】
【００１０】
【図１】本考案のペット用玩具の単層リング枠形態の関連部材の分解図である。
【図２】本考案のペット用玩具の単層リング枠形態の関連部材の組付け完了の外観図である。
【図３】本考案のペット用玩具の単層リング枠形態の組立体正面図である。
【図４】本考案のペット用玩具の単層リング枠形態の組立体側面図である。
【図５】本考案のペット用玩具の単層リング枠形態の使用時における概略図１である。
【図６】本考案のペット用玩具の単層リング枠形態の使用時における概略図２である。
【図７】本考案のペット用玩具の双層リング枠形態の組立体（ランニングボールの軸心が水平状を呈するようにする）正面図である。
【図８】本考案のペット用玩具の双層リング枠形態の組立体（ランニングボールの軸心が水平状を呈するようにする）側面図である。
【図９】本考案のペット用玩具の双層リング枠形態（ランニングボールの軸心が傾斜状を呈するようにする）の使用時における概略図である。
【図１０】本考案のペット用玩具の双層リング枠形態の組立体（ランニングボールの軸心が傾斜状を呈するようにする）正面図である。
【図１１】本考案のペット用玩具の双層リング枠形態の組立体（ランニングボールの軸心が傾斜状を呈するようにする）側面図である。
【図１２】本考案のペット用玩具のリング枠と支持スタンドとの枢着の別の実施形態を示す図である。
【考案を実施するための形態】
【００１１】
本考案が設計するペット用玩具（図１、２を参照）では、ペットの平時活動用として用いる走り回る空間に対して、より多くの方位を持つ任意変化の方向を使用して走り回る応用において、ペット用玩具４は、支持スタンド１と、リング枠２と、ランニングボール３とを備える構成を採用し、その内、前記ランニングボール３は、周知の手段に属するものであるため、本開示の主張に含まれておらず、ここでの訴求部位は、前述したリング枠２の周辺に位置する所定の箇所に対しては、孔２４１で保持された軸受け２４を置くように、複数本の格納エリア２１が区切り凹入され、及びリング枠２に区切られた所定の箇所ごとに相応する２つの格納エリア２１には、所定の間隔の相応部位に孔２１１で内向きまたは外向きに貫通しており、前述の支持スタンド１の両脇から内向きに延伸する１節のロッドセグメント１１を、リング枠２の外向きに貫通する孔２１１、及び内側の軸受け２４に相応する孔２４１（図３を参照）への導入に合わせてリング枠２を支持スタンド１の間に枢着させ、また、前述したランニングボール３の中心軸に位置する上下方には、前記リング枠２の内向きに貫通する孔２１１、及び内側の軸受け２４に相応する孔２４１への導入に合わせるように、１節のロッドセグメント３１が個別に凸伸され、ランニングボール３を前記リング枠２の間に枢着させ（図２、４を参照）、組立てて成るペット用玩具４を、ペットがランニングボール３内に入り込んで走り回りを行うものとすると共に、そのペット５から生成される駆動力によって、リング枠２に枢着されたランニングボール３、及び支持スタンド１によって枢着された前記リング枠２に伴って任意変化方向での回転走行を行わせることができる（図５、６を参照）。
【００１２】
段落［００１３］の記載に続くペット用玩具４´の別の実施形態（図７、８を参照）では、ペットの平時活動用として用いる走り回る空間に対して、より多くの方位を持つ任意変化の方向を使用して走り回る応用において、ペット用玩具４´は、支持スタンド１と、外側リング枠２２と、内側リング枠２３と、ランニングボール３とを備える構成を採用し、その内、前記ランニングボール３は、周知の手段に属するものであるため、本開示の主張に含まれておらず、ここでの訴求部位は、前述した内、外側リング枠２３，２２の周辺に位置する所定の箇所に対しては、孔２４１で保持された軸受け２４を置くように、複数本の格納エリア２１が区切り凹入され（ここでの実施形態は、図１のリング枠２と軸受け２４の応用と同様なので、分解図を省略する）、及び内側リング枠２３に区切られた所定の箇所ごとに相応する２つの格納エリア２３１に、孔２３２で内向きに貫通しており、及び所定の周辺相応両側から外向きに延伸する１節のロッドセグメント２３３を、外側リング枠２２の相応部位の孔２２２と内側の軸受け２４の孔２４１への導入に合わせて内側リング枠２３と外側リング枠２２を枢着状に組み合わせ、また、外側リング枠２２に区切られた所定の箇所ごとに相応する２つの格納エリア２２１には、所定の間隔の相応部位に孔２２２で内向きまたは外向きに貫通しており、前述の支持スタンド１の両脇から内向きに延伸する１節のロッドセグメント１１を、前述の外側リング枠２２の外向きに貫通する孔２２２、及び内側の軸受け２４に相応する孔２４１への導入に合わせて前記外側リング枠２２が支持スタンド１の間に枢着され、また、前述したランニングボール３の中心軸に位置する両端には、前記内側リング枠２３の内向きに貫通する孔２３２、及び内側の軸受け２４に相応する孔２４１への導入に合わせるように、１節のロッドセグメント３１が個別に凸伸され、前記ランニングボール３を内側リング枠２３の間に枢着させ、組立てて成るペット用玩具４´を、ペット５がランニングボール３内に入り込んで走り回りを行うものとすると、内側リング枠２３に枢着されたランニングボール３、及び支持スタンド１によって枢着された外側リング枠２２に伴って任意の方向での回転走行を行わせることができる（図９を参照）。
【００１３】
前の段落［００１４］の記載に引き続くペット用玩具４´が備える支持スタンド１の間に枢着された外側リング枠２２に隣接して枢設される内側リング枠２３の、周辺に位置する所定の箇所には、孔２４１で保持された軸受け２４を置くように、複数本の相応の格納エリア２３１（図１０を参照し、ここの格納エリアには、３対の相応空間が設けられる）が区切り凹入されることを許容し、ランニングボール３が容易に組付け角度に応じて選択的に中心軸の両端から凸伸されるロッドセグメント３１を、内側リング枠２３の所定の範囲に内向きに貫通する孔２３２、及び内側の軸受け２４に相応する孔２４１へ導入させることで、ランニングボール３の中心軸を前記内側リング枠２３と傾斜状になるように据付け（図１１を参照）、ランニングボール３内に入り込むペットに対してその駆動力によって任意の方向での回転走行を行わせることが可能である。
【００１４】
段落［００１３］の記載に続くペット用玩具４が備えるランニングボール３の中心軸に位置する上下方に凸伸するロッドセグメント３１の所定の箇所には、凸部３２が形成され（図１を参照）、前述のランニングボール３の上下方のロッドセグメント３１としてリング枠２の相応部位の孔２１１、及び内側の前記軸受け２４の孔２４１へ導入することにより（図３を参照）、前記凸部３２が前記リング枠２とランニングボール３との間にほぼ介在することで、前述のランニングボール３を前記リング枠２の範囲に適切な円滑度に保持して旋回させる（同時に、このように設置された凸部の形態も、ロッドセグメントの長さをやや短くすればよくなるためである）。
【００１５】
段落［００１４］の記載に続くペット用玩具４´が備える内側リング枠２３の所定の周辺相応両側から外向きに延伸するロッドセグメント２３３の所定の箇所には、凸部２３４が形成され（図７を参照）、前述の内側リング枠２３から延伸するロッドセグメント２３３として外側リング枠２２の相応部位の孔２２２と内側の軸受け２４の孔２４１へ導入することにより、前記凸部２３４が前述の内側リング枠２３と外側リング枠２２との間にほぼ介在することで（同時に、このように設置された凸部の形態も、ロッドセグメントの長さをやや短くすればよくなるためである）、ランニングボール３で結合している前記内側リング枠２３を外側リング枠２２の範囲に適切な円滑度に保持して旋回を行わせる（図１０を参照）。
【００１６】
段落［００１３］の記載に続くペット用玩具４が備える支持スタンド１の両脇に位置する所定の高さには、軸受け２４を置くように、格納エリア１２が凹入され、及びリング枠２の相応箇所には、前述の格納エリア１２の内向きに貫通する孔１２１、及び軸受け２４の孔２４１へ導入するように、１節のロッドセグメント２５が延伸し（図１２を参照）、リング枠２を支持スタンド１の間に枢着させる（同時に、このように支持スタンドにリング枠が枢着された形態も、段落［００１４］に記載のペット用玩具４´のその間の外側リング枠２２と支持スタンド１の枢着方式に応用できる）。
【符号の説明】
【００１７】
１  支持スタンド
１１，３１，２３３，２５  ロッドセグメント
２  リング枠
１２，２１，２２１，２３１  格納エリア
１２１，２１１，２２２，２３２，２４１  孔
２２  外側リング枠
２３  内側リング枠
２４  軸受け
３  ランニングボール
２３４，３２  凸部
４，４´  ペット用玩具
５  ペット
【図１】
0003223077.tif 000003
【図２】
0003223077.tif 000004
【図３】
0003223077.tif 000005
【図４】
0003223077.tif 000006
【図５】
0003223077.tif 000007
【図６】
0003223077.tif 000008
【図７】
0003223077.tif 000009
【図８】
0003223077.tif 000010
【図９】
0003223077.tif 000011
【図１０】
0003223077.tif 000012
【図１１】
0003223077.tif 000013
【図１２】
0003223077.tif 000014